(57)【特許請求の範囲】
【請求項１】
振動板と、
前面と、前記前面の反対側の装着面と、前記装着面に立って配置された壁面とを有し、前記振動板の外周縁を保持するフレームと、
前記装着面に対向して配置された天面と、前記天面の反対側の底面と、前記壁面に対向して配置された第１側面と、前記第１側面の反対側に設けられた第２側面とを含む台座部と、前記第１側面から前記壁面に向かって突出した第１台座リブと、前記第２側面から突出し、かつ前記天面まで延びて形成された第２台座リブと、前記台座部の前記底面側に配置された係止部と、を含む取り付け部と、
前記フレームの前記前面から前記装着面までを貫通して、前記台座部にねじ止めされた固定部材と、を備えた、ラウドスピーカ。
【請求項２】
前記取り付け部は、前記底面に立って配置された筒状部を有し、前記係止部は、前記筒状部の側面から突出して配置された、請求項１に記載のラウドスピーカ。
【請求項３】
前記第２台座リブは、前記第１台座リブよりも高く設けられた、請求項１に記載のラウドスピーカ。
【請求項４】
前記壁面に壁面リブが設けられ、
前記壁面リブは前記台座部に向かって突出した、請求項１に記載のラウドスピーカ。
【請求項５】
前記壁面リブは、前記台座部に当接した、請求項４に記載のラウドスピーカ。
【請求項６】
振動板と、
前面と、前記前面の反対側の装着面と、前記装着面に立って配置された壁面とを有し、前記振動板の外周縁を保持するフレームと、
前記装着面に対向して配置された天面と、前記天面の反対側の底面と、前記壁面に対向して配置された第１側面と、前記第１側面の反対側に設けられた第２側面とを含む台座部と、前記第１側面から前記壁面に向かって突出した第１台座リブと、前記第２側面から突出し、かつ前記天面まで延びて形成された第２台座リブと、前記台座部の前記底面側に配置された係止部と、を含む取り付け部と、
前記フレームの前記前面から前記装着面までを貫通して、前記台座部にねじ止めされた固定部材と、
前記係止部が挿入される取り付け孔を有した板状構造部と、を備えた、ラウドスピーカ構造体。
【請求項７】
振動板と、
前面と、前記前面の反対側の装着面とを有し、前記振動板の外周縁を保持するフレームと、
前記装着面に対向して配置された天面と、前記天面の反対側の底面とを含む台座部と、前記台座部の前記天面側に配置された第１の係止部と、前記台座部の前記底面側に配置された第２の係止部とを含む取り付け部と、を備え、前記取り付け部は、前記天面に立って配置された筒状部と、前記筒状部の内部に配置された連結体を有し、
前記第１の係止部は、前記筒状部の側面から突出して配置され、
前記連結体の前記筒状部内での位置を調整することにより、前記第１の係止部の突出量を変化させた、ラウドスピーカ。
【発明の詳細な説明】
【技術分野】
【０００１】
本開示は、各種電子機器に使用されるラウドスピーカおよびラウドスピーカ構造体に関するものである。
【背景技術】
【０００２】
以下、従来のスピーカについて図面を用いて説明する。図１０は従来のスピーカの構成を示した斜視図、図１１は従来のスピーカにおける要部斜視図である。スピーカ１は、振動板２と、振動板２の外周縁を保持するフレーム３とを有する。【０００３】
ここで、振動板２の音声放射面側から固定具４でネジ止めすることによって、取り付け部５がフレーム３における音声放射面の裏面側に固定されている。そして、フレーム３と取り付け部５との固定状態を強固にするために、取り付け部５の嵌合部６はフレーム３に設けられたポケット７に嵌めこまれたうえで、固定具４によって固定されている。そして、取り付け部５の係合部８が外部の係合体（図示せず）へ係合されることによって、スピーカ１が固定対象の構造体（図示せず）へ固定されるものであった。【０００４】
なお、この出願の発明に関連する先行技術文献情報としては、例えば特許文献１が知られている。
【先行技術文献】
【特許文献】
【０００５】
【特許文献１】特開２００５−６５２４５号公報
【発明の概要】
【０００６】
本開示のラウドスピーカは、振動板と、前面と、前面の反対側の装着面と、装着面に立って配置された壁面とを有し、振動板の外周縁を保持するフレームとを有している。さらに、装着面に対向して配置された天面と、天面の反対側の底面と、壁面に対向して配置された第１側面と、第１側面の反対側に設けられた第２側面とを含む台座部と、第１側面から壁面に向かって突出した第１台座リブと、第２側面から突出し、かつ天面まで延びて形成された第２台座リブと、台座部の底面側に配置された係止部と、を含む取り付け部とを有している。また、フレームの前面から装着面までを貫通して、台座部にねじ止めされた固定部材と、を備えている。
【０００７】
本開示によれば、取り付け部の固定が不適切な状態となることを抑制できる。つまり、取り付け部は固定部材による固定状態を維持しつつ、第１台座リブと第２台座リブとの変形によって、寸法ずれなどを吸収する。これにより、取り付け部は固定状態の位置ずれなどに対する許容度を有することとなる。このため、取り付け部の固定状態にずれが生じた場合でも、その固定状態のずれは維持されずに修正されやすくなる。この結果、スピーカの固定は安定した状態を維持することができる。さらに、取り付け部は固定対象の構造体に対して容易に挿入される。
【図面の簡単な説明】
【０００８】
【図１】図１は、実施の形態におけるラウドスピーカの構成を示す斜視図である。
【図２】図２は、実施の形態におけるラウドスピーカの要部斜視図である。
【図３】図３は、実施の形態におけるラウドスピーカの取り付け部の要部側面図である。
【図４】図４は、実施の形態におけるラウドスピーカ構造体の斜視図である。
【図５】図５は、実施の形態におけるラウドスピーカ構造体の要部構造図である。
【図６】図６は、実施の形態におけるラウドスピーカのフレーム部の要部斜視図である。
【図７】図７は、第１の変形例におけるラウドスピーカの取り付け部の側面図である。
【図８】図８は、第２の変形例におけるラウドスピーカの取り付け部の全体斜視図である。
【図９】図９は、第２の変形例におけるラウドスピーカの取り付け部の部分斜視図である。
【図１０】図１０は、従来のスピーカの斜視図である。
【図１１】図１１は、従来のスピーカの要部斜視図である。
【発明を実施するための形態】
【０００９】
従来のスピーカ１では、嵌合部６とポケット７とが正確に組み合わせられるためには、嵌合部６とポケット７との双方に高い寸法精度が求められる。これは、この寸法精度が低下すると、取り付け部５のポケット７への固定が不適切な状態となっても、取り付け部５はポケット７によって非常に強固に固定された状態を維持してしまうためである。そして、固定が不適切な状態であり、かつ、強固であることにより、取り付け部５は位置ずれなどに対して許容度が小さい。このため、取り付け部５の係合部８が係合体へ係合される際に、上記のような取り付け部５の不適切な固定状態は修正されることなく維持されてしまう。つまり、嵌合部６とポケット７との寸法精度が低下することによって、取り付け部５の固定が不適切な状態となり、スピーカ１と構造体との固定状態が不安化するおそれがあるという課題があった。
【００１０】
そこで、本開示は、取り付け部の固定が不適切な状態となることを抑制できるラウドスピーカおよびラウドスピーカ構造体を提供する。
【００１１】
以下、本開示の実施の形態について図面を用いて説明する。
【００１２】
（実施の形態）
図１は本実施の形態におけるラウドスピーカの構成を示す斜視図であり、図２は本実施の形態におけるラウドスピーカの要部斜視図であり、図３は本実施の形態におけるラウドスピーカの取り付け部の要部側面図であり、図４は本実施の形態におけるラウドスピーカ構造体の斜視図であり、図５は本実施の形態におけるラウドスピーカ構造体の要部構造図である。
【００１３】
ラウドスピーカ９は、振動板１０と、フレーム１１と、取り付け部１２と、固定部材１３とを含む。
【００１４】
フレーム１１は、前面１１Ａと、前面１１Ａの反対側の装着面１１Ｂと、装着面１１Ｂに立って配置された壁面１１Ｃとを有するとともに、振動板１０の外周縁を保持している。
【００１５】
取り付け部１２は、第１台座リブ１４と第２台座リブ１５とが形成された台座部１６と、係止部１８とを有する。台座部１６は、装着面１１Ｂに対向する天面１６Ａと、天面１６Ａの反対側の底面１６Ｂと、壁面１１Ｃに対向して配置された第１側面１６Ｃと、第１側面１６Ｃの反対側に設けられた第２側面１６Ｄとを有する。第１台座リブ１４は、台座部１６の第１側面１６Ｃから壁面１１Ｃに向かって突出している。第２台座リブ１５は、第２側面１６Ｄから突出し、かつ天面１６Ａまで延びている。係止部１８は、前記台座部の底面１６Ｂ側に配置されている。
【００１６】
固定部材１３は、フレーム１１の前面１１Ａから装着面１１Ｂまでを貫通し、台座部１６にねじ止めされる。
【００１７】
以上の構成により、取り付け部１２は固定部材１３による固定状態を維持しつつ、第１台座リブ１４と第２台座リブ１５との変形によって、寸法ずれなどを吸収する。これにより、取り付け部１２は固定状態の位置ずれなどに対する許容度を有することとなる。このため、取り付け部１２の固定状態にずれが生じた場合でも、その固定状態のずれは維持されずに修正されやすくなる。この結果、ラウドスピーカ９の固定は安定した状態を維持することができる。さらに、取り付け部１２は固定対象の構造体（図示せず）に対して容易に挿入される。
【００１８】
取り付け部１２はフレーム１１における音声放射面の裏面側で固定部材１３によって固定されているとともに、取り付け部１２は第１台座リブ１４と第２台座リブ１５と台座部１６とによって、フレーム１１に位置決めされている。さらに、第１台座リブ１４と第２台座リブ１５とは台座部１６の側面から突出したものであるため、周囲からの応力を受けることによって変形が容易となっている。このことから、取り付け部１２とフレーム１１とは十分な固着力によって機械的に結合されているとともに、取り付け部１２とフレーム１１とは位置関係の変化や寸法のずれなどが生じても、取り付け部１２はこの変化やずれを吸収しつつ、機械的な結合状態を維持することができる。
【００１９】
つまり、取り付け部１２は固定状態の位置ずれに対する許容度を有しているので、取り付け部１２の固定状態に位置ずれが生じた場合でも、そのずれは維持されることなく、最終的に修正されやすくなる。この結果、ラウドスピーカ９のフレーム１１においてリブを有した取り付け部１２が用いられることで、安定してラウドスピーカ９の固定状態が維持される。
【００２０】
また、取り付け部１２はフレーム１１に対して単一面と複数点とによって固定部材１３で固定されている。したがって、取り付け部１２とフレーム１１との間での振動による共振の発生を抑制できる。さらに、作業者がラウドスピーカ９を固定対象の構造体に対して取り付ける際、取り付け部１２を固定対象の構造体に容易に単純な操作によって挿入することができる。
【００２１】
以下、主にラウドスピーカを用いたラウドスピーカ構造体についての詳細を説明する。特に、図４は本実施の形態におけるラウドスピーカ構造体の斜視図であり、図５は本実施の形態におけるラウドスピーカ構造体の要部構造図である。
【００２２】
ラウドスピーカ構造体１９は、ラウドスピーカ９とラウドスピーカ９が固定されている構造体２０とを有する。ラウドスピーカ９は、フレーム１１へ固定部材１３によって固定された取り付け部１２を用いて、構造体２０へと固定されている。ここで、構造体２０は、フレーム１１および振動板１０における音声放射面の裏面側に配置した、箱状のエンクロージャーであってもよく、あるいは、車室内のダッシュボードや内装板であっても構わない。
【００２３】
先にも述べたように、ラウドスピーカ９と構造体２０とは取り付け部１２を用いて固定されている。特に、取り付け部１２の台座部１６と係止部１８とによって構造体２０は挟まれて保持されている。係止部１８は、取り付け部１２の筒状部１７に一体で形成されている。そして係止部１８は、筒状部１７の外側から中心側へと押圧力が加えられることによって筒状部１７の内部側に沈みこみ、押圧力を除くと筒状部１７の外部側に突出する。つまり、ラウドスピーカ９が図５における図中上方から下方へ構造体２０に対して押圧されることによって、取り付け部１２の筒状部１７が係合部２１へ挿入される。
【００２４】
このとき、係止部１８は、係合部２１へ筒状部１７が挿入される過程で外側から中心側へと押圧力を受ける。この段階は、スロープ部２２が係合部２１から押圧力を受けつつ、係合部２１へ筒状部１７が次第に挿入されている状態である。ここで、押圧力を受けていないときのスロープ部２２は、係止部１８の突出量が次第に大きくなるように、係止部１８の連結部２３からスロープ頂部２４へと連続して概ね直線状に設けられている。
【００２５】
その後、構造体２０が台座部１６に接触するまで係合部２１へ筒状部１７が挿入される。この段階は、押圧力を受けていないときに係止部１８の突出量が最大となっているスロープ頂部２４から、突出量が階段状に次第に階段部２５から階段部２６へと低下する部分に係合部２１が当接し、係止部１８が受ける押圧力は低下する状態である。そして、構造体２０が台座部１６に接触するときには係止部１８が係合部２１から受ける押圧力は小さく、係止部１８の一部である階段部２６と台座部１６とによって、構造体２０は図中の上下方向から挟まれた状態で固定されている。
【００２６】
構造体２０が図中の上下方向から階段部２６と台座部１６とで挟まれた状態では、構造体２０から筒状部１７の先端方向に向かっては、階段部２６から階段部２５へと突出量が階段状に大きくなる。よって、フレーム１１と構造体２０とは、図中の上下方向へと引き離す力だけを受けても、階段部２６がストッパーとして位置するため、分離することはない。当然ながら、作業者などが係止部１８を筒状部１７の中心方向へ押圧しつつ、図中の上下方向へと引き離す力を加えれば、フレーム１１と構造体２０とは容易に再分離することができる。
【００２７】
上記のように、フレーム１１と構造体２０とが取り付け部１２を用いることで固定されることとなるが、この固定状態を安定させるために取り付け部１２はフレーム１１に対して確実に固定されている必要がある。
【００２８】
ここで、取り付け部１２の台座部１６がフレーム１１に固定部材１３によって固定され、取り付け部１２とフレーム１１との固着力を維持している。また、取り付け部１２のフレーム１１に対する位置は、固定部材１３とともに、第１台座リブ１４と第２台座リブ１５とによって決定される。
【００２９】
第１台座リブ１４は、台座部１６におけるフレーム１１の壁面１１Ｃに対向した位置に、壁面１１Ｃへ向かって概ね尖った形状で設けられている。また、第１台座リブ１４は台座部１６における最も筒状部１７に近い側面に、筒状部１７に向かうにしたがって次第に高くなるように設けられている。
【００３０】
この一方で第２台座リブ１５は、台座部１６におけるフレーム１１の内周側、つまり台座部１６における壁面１１Ｃに対向する面とは反対側の面に、フレーム１１の内周側へ向かって概ね尖った形状で設けられている。また、第２台座リブ１５は、台座部１６の側面における固定部材１３に近い側で、固定部材１３側に向かうにしたがって次第に高くなるように設けられている。
【００３１】
第１台座リブ１４および第２台座リブ１５は双方ともに樹脂によって取り付け部１２と一体に形成されている。そして、第１台座リブ１４は壁面１１Ｃと当接することによって、第１台座リブ１４の先端が変形することが可能となっている。同様に、第２台座リブ１５は装着面１１Ｂと当接することによって、第２台座リブ１５の先端が変形することが可能となっている。
【００３２】
例えば図５において、係合部２１が取り付け部１２に対して図中の左方向にずれた場合、第２台座リブ１５の先端が変形することによって、取り付け部１２は固定部材１３による固定状態を維持しつつ傾きを有したうえで、筒状部１７が係合部２１に係合する。つまり、取り付け部１２は、第２台座リブ１５の先端の変形に相当する許容度を有していることとなるため、取り付け部１２と係合部２１との位置関係にずれが生じても、第２台座リブ１５の先端の変形が取り付け部１２の固定方向や固定状態を容易に修正する。これにより、ラウドスピーカ９は構造体２０へ安定した状態で固定される。そして、この安定した固定状態が維持される。
【００３３】
また、取り付け部１２はフレーム１１に対して単一面によって固定部材１３で固定されているので、取り付け部１２とフレーム１１との間で振動による共振は発生しない。そして、第１台座リブ１４および第２台座リブ１５は点接触で固定されるので、特定の周波数における共振は発生しない。
【００３４】
さらに、作業者がラウドスピーカ９を固定対象の構造体に対して取り付ける際にワンタッチで、つまり、作業者は取り付け部１２を固定対象の構造体に容易に単純な操作によって挿入することができる。
【００３５】
この一方で例えば図５において、係合部２１が取り付け部１２に対して図中の右方向にずれた場合、第１台座リブ１４の先端が変形することによって、取り付け部１２は固定部材１３による固定状態を維持しつつ傾きを有したうえで、筒状部１７が係合部２１に係合する。上記の場合と同様に、取り付け部１２は、第１台座リブ１４の先端の変形に相当する許容度を有していることとなるため、取り付け部１２と係合部２１との位置関係にずれが生じても、第２台座リブ１５の先端の変形が取り付け部１２の固定方向や固定状態を容易に修正する。これにより、ラウドスピーカ９は構造体２０へ安定した状態で固定される。そして、この安定した固定状態が維持される。
【００３６】
ここでは、第１台座リブ１４は、台座部１６における最も筒状部１７に近い側で第１台座リブ１４の頂部が壁面１１Ｃに対向して設けられている。また、第２台座リブ１５は、台座部１６の側面における固定部材１３への近接側で、あるいは、台座部１６における最も固定部材１３に近い側で第２台座リブ１５の側面が装着面１１Ｂに当接したうえで、内周側に向かって突出して設けられている。
【００３７】
そして、第２台座リブ１５は第１台座リブ１４に比較して突出量を大きくしている。第２台座リブ１５における変形は、第２台座リブ１５の突出方向から概ね９０度の角度を有した装着面１１Ｂからの押圧力によって生じる。これに対して、第１台座リブ１４における変形は、第１台座リブ１４の突出方向に正面対向する壁面１１Ｃからの押圧力によって生じる。つまり、第２台座リブ１５が装着面１１Ｂから取り付け部軸２９の垂直方向へと受ける押圧力は低く、第１台座リブ１４が壁面１１Ｃから取り付け部軸２９の垂直方向へと受ける押圧力は高い。このため、第１台座リブ１４よりも第２台座リブ１５の突出量を大きくして、それぞれの変形によって生じる押圧力を概ね均等としている。よって、先に述べた取り付け部１２の固定の状態にずれが生じた場合に、固定の状態や方向を最終的に修正する押圧力は、第１台座リブ１４および第２台座リブ１５において概ね同等となる。
【００３８】
また、第２台座リブ１５が設けられていることにより、振動板１０の近傍周囲で取り付け部１２がフレーム１１を支持する面積が大きくなる。つまり、フレーム１１における振動板１０からの振動を受け易い部分の機械的強度が高くなる。
【００３９】
したがって、先に述べたようにラウドスピーカ９が安定して構造体２０へ固定されることに加えて、さらに、フレーム１１は安定して振動板１０を保持する。また、固定部材１３による取り付け部１２を介してのフレーム１１と構造体２０とは単一面で固定され、そして、第１台座リブ１４および第２台座リブ１５は点接触で固定されるので、フレーム１１と取り付け部１２との間での特定の周波数における共振は発生しない。これにより、フレーム１１から振動板１０への雑音や不要な振動などの混入が抑制され、ラウドスピーカ９は原音に近い音声を再生することができる。
【００４０】
また、図６に本実施の形態におけるスピーカのフレーム部の要部斜視図を示す。図６に示すように、フレーム１１の壁面１１Ｃにおける台座部１６との対向面に、壁面リブ３０が設けられてもよい。
【００４１】
ここでは、先に説明したように、フレーム１１における音声放射面の裏面側に、壁面１１Ｃと装着面１１Ｂとが設けられている。さらに、壁面１１Ｃには壁面リブ３０が設けられていて、壁面リブ３０は装着面１１Ｂに固定された状態の取り付け部１２の台座部１６へ当接している。また、壁面リブ３０は音声放射面の裏面側から音声放射面側方向へ向かうにしたがって次第に高くなるように形成されている。
【００４２】
これにより、取り付け部１２における台座部１６の特に底面の位置決めが安定する。つまり、台座部１６と装着面１１Ｂとが結合固定される位置が安定する。さらに、台座部１６とフレーム１１とは、取り付け部１２における第１台座リブ１４と第２台座リブ１５と壁面リブ３０との３つの部位によって支持される。そして、第１台座リブ１４と第２台座リブ１５と壁面リブ３０とはともに変形が可能であり、これらはラウドスピーカ９と構造体２０との位置関係を適切に修正し、修正した状態を維持する機能を有する。この結果、取り付け部１２の固定状態が安定することで、ラウドスピーカ９は構造体２０へ安定した状態で固定される。そして、この固定状態が維持される。
【００４３】
（第１の変形例）
本実施の形態では、取り付け部１２が台座部１６と筒状部１７とによって構成され、台座部１６がフレーム１１に固定され、筒状部１７が構造体２０に固定される場合を一例として説明した。これに対して、第１の変形例では、取り付け部３２は、台座板３３と台座板３３の両面側に配置した筒状部３４とを有した構成としてもよい。図７に、第１の変形例におけるスピーカの取り付け部の側面図を示す。ここで、筒状部３４には先に説明した場合と同様に係止部１８が設けられている。また、係止部１８が外部からの押圧力を受けた場合の動作に関しても先に説明した場合と同様である。
【００４４】
例えばこの取り付け部３２では、取り付け部３２とフレーム１１とは図中の台座板３３の上面側で係止部１８（第１の係止部）により固定され、取り付け部３２と構造体２０とは図中の台座板３３の下面側で係止部１８（第２の係止部）により固定される。つまり、フレーム１１と構造体２０とは非常に近接した位置で取り付け部３２へ固定される。これにより、フレーム１１が図中右方向に、構造体２０が図中左方向に、互いの位置関係にずれを生じさせる力を外部から受けたとき、取り付け部３２に生じる応力は抑制されるので、フレーム１１と構造体２０とは安定した位置関係を維持することができる。これは、フレーム１１に対する取り付け部３２の固定位置と、構造体２０に対する取り付け部３２の固定位置とが近接するために双方の固定位置に作用するモーメントが抑制されることによる。
【００４５】
（第２の変形例）
図８に第２の変形例におけるラウドスピーカの取り付け部の全体斜視図および図９に第２の変形例におけるラウドスピーカの取り付け部の部分斜視図を示す。図８及び図９に示すように、取り付け部３５は、台座板３３と台座板３３の図中上面側に設けた可変筒状部３６と台座板３３の図中下面側に設けた筒状部３７を有し、台座板３３の上面側と下面側とでは異なる機能が設けられてもよい。
【００４６】
例えば、台座板３３の図中下面側に設けた筒状部３７は先に説明した場合と同様に係止部１８が設けられている。また、係止部１８が外部からの押圧力を受けた場合の動作に関しても先に説明した場合と同様である。この一方で、台座板３３の図中上面側に設けた可変筒状部３６では、調整ピン３９によって可変係止部３８が突出状態あるいは収納状態に制御される。可変筒状部３６の内部には、調整ピン３９に連結された連結体４０が収納されており、図８に示すように、調整ピン３９が押し込まれた状態では、可変係止部３８は連結体４０によって押し出されて突出状態となる。一方、図９に示すように、調整ピン３９が引き出された状態では、連結体４０による押し出しが行われず可変係止部３８は収納状態となる。そして、可変係止部３８が突出状態となっているときは、可変係止部３８と台座板３３とで挟み込むことによって構造体２０やフレーム１１を固定することができる。これにより取り付け部３５は、フレーム１１と構造体２０とを安定した位置関係に維持することができる。
【００４７】
ここで、筒状部３７は、係止部１８の可変領域を除いては、樹脂で満たされることによって防水機能を有してもよい。つまり、台座板３３を境界として可変筒状部３６と筒状部３７とは、互いに液体などが浸入しないように遮断されていてもよい。たとえば、ラウドスピーカ９を構造体２０へ固定するにあたって、ラウドスピーカ９が室内に配置され、かつ、構造体２０が室外に配置されて筒状部３７が水分に曝される場合などには、筒状部３７、あるいは、台座板３３が水分の浸入を遮断することが望ましい。
【産業上の利用可能性】
【００４８】
本開示のラウドスピーカおよびラウドスピーカ構造体は、取り付け部の固定状態の不適切化を抑制するという効果を有し、各種電子機器において有用である。
【符号の説明】
【００４９】
９  ラウドスピーカ
２，１０  振動板
３，１１  フレーム
１１Ａ  前面
１１Ｂ  装着面
１１Ｃ  壁面
５，１２，３２，３５  取り付け部
１３  固定部材
１４  第１台座リブ
１５  第２台座リブ
１６  台座部
１６Ａ  天面
１６Ｂ  底面
１６Ｃ  第１側面
１６Ｄ  第２側面
１７，３４，３７  筒状部
１８  係止部
１９  ラウドスピーカ構造体
２０  構造体（板状構造部）
８，２１  係合部
２２  スロープ部
２３  連結部
２４  スロープ頂部
２５，２６  階段部
２９  取り付け部軸
３０  壁面リブ
３３  台座板
３６  可変筒状部
３８  可変係止部
３９  調整ピン
４０  連結体
【図１】
0006617295.tif 000002
【図２】
0006617295.tif 000003
【図３】
0006617295.tif 000004
【図４】
0006617295.tif 000005
【図５】
0006617295.tif 000006
【図６】
0006617295.tif 000007
【図７】
0006617295.tif 000008
【図８】
0006617295.tif 000009
【図９】
0006617295.tif 000010
【図１０】
0006617295.tif 000011
【図１１】
0006617295.tif 000012